【事件の表示】
　特願２０１７−５５８９６８「Ｄ２Ｄチャネルの測定」拒絶査定不服審判事件〔平成２８年１１月１７日国際公開，ＷＯ２０１６／１８２６５３，平成３０年　６月１４日国内公表，特表２０１８−５１５９９４〕について，次のとおり審決する。
【結　論】
　本件審判の請求は，成り立たない。
【理　由】
第１　手続の経緯
　本願は，２０１６年（平成２８年）４月８日（パリ条約による優先権主張外国庁受理　２０１５年５月１４日　米国，２０１６年４月７日　米国）を国際出願日とする出願であって，平成３０年１０月４日に手続補正書が提出され，同年１０月１５日付けで拒絶理由が通知され，平成３１年１月２２日に意見書及び手続補正書が提出され，同年２月４日付けで拒絶査定がされ，これに対し，令和１年６月１２日に拒絶査定不服審判が請求されたものである。
第２　本願発明
　本願の請求項１〜２９に係る発明は，平成３１年１月２２日に提出された手続補正書により補正された特許請求の範囲の請求項１〜２９に記載された事項により特定されるものであるところ，請求項１，２及び９には以下の事項が記載されている。
「【請求項１】
　基地局のネットワークカバレージの外側にあるユーザ機器（ＵＥ）によるワイヤレス通信の方法であって，
　前記基地局のネットワークカバレージ内にある１つまたは複数の近接ＵＥからそれぞれ１つまたは複数のデバイスツーデバイス（Ｄ２Ｄ）信号を受信することと，
　前記１つまたは複数のＤ２Ｄ信号の１つまたは複数のデータ部を受信するために使用される１つまたは複数のリソース要素の信号強度に基づいて，前記１つまたは複数のＤ２Ｄ信号の信号強度を測定することと，
　前記測定された１つまたは複数のＤ２Ｄ信号の前記信号強度に基づいて，中継ＵＥとして前記１つまたは複数の近接ＵＥのうちの１つを選択することと，
　前記選択された中継ＵＥを介して前記基地局と通信するために，Ｄ２Ｄ通信を介して，前記選択された中継ＵＥと通信することと
　を備える，方法。」，
「【請求項２】
　前記１つまたは複数のＤ２Ｄ信号の１つまたは複数の基準信号を受信するために使用される１つまたは複数のリソース要素の信号強度にさらに基づいて前記１つまたは複数のＤ２Ｄ信号の信号強度を測定することをさらに備える，
　請求項１に記載の方法。」，
「【請求項９】
　前記１つまたは複数のＤ２Ｄ信号の前記１つまたは複数のデータ部を受信するために使用される前記１つまたは複数のリソース要素の前記信号強度は，前記１つまたは複数のＤ２Ｄ信号の前記１つまたは複数のデータ部を受信するために使用される前記１つまたは複数のリソース要素の基準信号受信電力（ＲＳＲＰ）または基準信号受信品質（ＲＳＲＱ）のうちの少なくとも１つに基づく，
　請求項１に記載の方法。」
第３　原査定の拒絶の理由の概要
　原査定の拒絶の理由の概要は，
「２．（明確性）この出願は，特許請求の範囲の記載が下記の点で，特許法第３６条第６項第２号に規定する要件を満たしていない。
３．（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」
というものであり，
　明確性については，具体的には，請求項９，１８，２７記載の「データ部を受信するために使用される前記１つまたは複数のリソース要素の基準信号受信電力（ＲＳＲＰ）または基準信号受信品質（ＲＳＲＱ）」とは，(a)「データ部分」の「受信電力」または「受信品質」であるのか，(b)「基準信号部分」の「受信電力」または「受信品質」であるのか，が分からないから，不明確であるというものであり，
　進歩性については，請求項１−２９に係る発明に対して，LG Electronics，Discussion on synchronization and discovery enhancements for UE-to-network relay，3GPP TSG-RAN WG1#80bis，3GPP，２０１５年４月１１日（掲載日），R1-151508，インターネット＜URL:https://www.3gpp.org/ftp/tsg_ran/WG1_RL1/TSGR1_80b/Docs/R1-151508.zip＞が引用されている。
第４　当審の判断
１　明確性について
　請求項１の「前記１つまたは複数のＤ２Ｄ信号の１つまたは複数のデータ部を受信するために使用される１つまたは複数のリソース要素の信号強度」との記載，請求項２の「前記１つまたは複数のＤ２Ｄ信号の１つまたは複数の基準信号を受信するために使用される１つまたは複数のリソース要素の信号強度」との記載によれば，データ部を受信するために使用されるリソース要素と，基準信号を受信するために使用されるリソース要素とは，明確に区別されているから，データ部と基準信号とは包含関係にないものである。そして，ＬＴＥにおいて１つのリソース要素（ＲＥ：Resource Element）にはデータ情報，基準信号，制御情報等のいずれか１つのみしかマッピングできないことは当業者における技術常識である。
　そして，ＬＴＥにおいて，基準信号受信電力（ＲＳＲＰ），基準信号受信品質（ＲＳＲＱ）は，３ＧＰＰの技術標準であるTS36.214 V12.2.0(2015-03)において以下のように定義されている。
「5.1.1　Reference Signal Received Power (RSRP)
Definition
Reference signal received power (RSRP), is defined as the linear average over the power contributions (in [W]) of the resource elements that carry cell-specific reference signals within the considered measurement frequency bandwidth.
For RSRP determination the cell-specific reference signals R0 according to TS 36.211 [3] shall be used. If the UE can reliably detect that R1 is available it may use R1 in addition to R0 to determine RSRP.
（中略）
5.1.3　Reference Signal Received Quality (RSRQ) 
Definition
Reference Signal Received Quality (RSRQ) is defined as the ratio N×RSRP/(E-UTRA carrier RSSI), where N is the number of RB’s of the E-UTRA carrier RSSI measurement bandwidth. The measurements in the numerator and denominator shall be made over the same set of resource blocks.」（８〜９ページ）
（［当審仮訳］：
５．１．１　基準信号受信電力（ＲＳＲＰ）
定義
　基準信号受信電力（ＲＳＲＰ）は，考慮される測定周波数帯域幅内でセル固有基準信号を搬送するリソース要素の電力寄与（[W]）の線形平均として定義される。
　ＲＳＲＰの決定には，TS 36.211 [3]に準拠したセル固有基準信号Ｒ０を使用する必要がある。ＵＥがＲ１が利用可能であることを確実に検出できる場合，Ｒ０に加えてＲ１を使用してＲＳＲＰを決定できる。
（中略）
５．１．３　基準信号受信品質（ＲＳＲＱ）
定義
　基準信号受信品質（ＲＳＲＱ）は，N×RSRP／（E-UTRAキャリアRSSI）の比率として定義される。Nは，Ｅ−ＵＴＲＡキャリアＲＳＳＩ測定帯域幅のＲＢの数である。分子と分母の測定は，同じリソースブロックのセットで行われる。）
　すなわち，基準信号受信電力（ＲＳＲＰ）は，データ情報ではなく基準信号であるセル固有基準信号（ＣＲＳ）を受信するために使用されるリソース要素の信号強度であって，単なる受信信号強度を表すＲＳＳＩ（Received Signal Strength Indicator）とは別個のものであることが技術常識である。また，基準信号受信品質（ＲＳＲＱ）は，セル固有基準信号（ＣＲＳ）を受信するために使用されるリソース要素の信号強度に関連する比率である。
　してみると，請求項９の「前記１つまたは複数のＤ２Ｄ信号の前記１つまたは複数のデータ部を受信するために使用される前記１つまたは複数のリソース要素の基準信号受信電力（ＲＳＲＰ）または基準信号受信品質（ＲＳＲＱ）のうちの少なくとも１つに基づく」との記載は，技術常識に反するものであり，「１つまたは複数のリソース要素」には，データ部（データ情報）がマッピングされているのか，基準信号がマッピングされているのか不明確であり，データ部の信号強度に基づいて近接ＵＥを選択するのか，基準信号の信号強度に基づいて近接ＵＥを選択するのか，不明確であると言わざるを得ない。
　ここで，発明の詳細な説明には，以下の記載がある。
「【００４２】
　[0050]本開示の第１の手法によれば，ＵＥは，近接ＵＥからのＤ２Ｄ発見信号の信号強度に基づいて，近接ＵＥとのＤ２Ｄリンクの品質を測定し得る。近接ＵＥはＤ２Ｄ発見信号を定期的に告知し得る。ＵＥは，Ｄ２Ｄ発見信号を検出し，受信し得，Ｄ２Ｄ発見信号に基づいて，近接ＵＥが，Ｄ２Ｄ接続を確立するために利用可能であると決定し得る。近接ＵＥは，物理サイドリンク発見チャネル（ＰＳＤＣＨ：physical sidelink discovery channel）上でＤ２Ｄ発見信号を送信し得る。ＬＴＥでは，ＵＥは，基地局から受信された１つまたは複数の基準信号に基づいて，基地局からの信号の信号強度を測定し得る。一態様では，いくつかの事例では，Ｄ２Ｄ発見において，ＵＥは，Ｄ２Ｄ発見のための同等の基準信号を送信し得る。より詳細には，Ｄ２Ｄ発見において，そのような事例では，異なる近接ＵＥからの基準信号が互いに同等であり得るので，ＵＥは，ある近接ＵＥからの基準信号と別の近接ＵＥからの基準信号とを区別することが可能でないことがある。そのような事例では，ＵＥは，ＵＥが基準信号の信号強度を測定する場合でも，基準信号がどの近接ＵＥからのものであるかを決定することが可能でないことがあるので，ＵＥは，どの近接ＵＥが基準信号の信号強度に対応するかを決定することができない。
したがって，そのような事例では，ＵＥは，Ｄ２Ｄ発見信号中の基準信号部分（reference signal portion）でない部分に基づいて，近接ＵＥからのＤ２Ｄ発見信号の信号強度を測定し得る。
【００４３】
　[0051]
したがって，本開示の第１の手法によれば，ＵＥは，Ｄ２Ｄ発見信号中の基準信号部分および／またはＤ２Ｄ発見信号中の基準信号部分でない部分に基づいて，（たとえば，近接ＵＥとのＤ２Ｄリンクの品質を決定するために）近接ＵＥからのＤ２Ｄ発見信号の信号強度を測定し得る。一態様では，ＵＥは，近接ＵＥからのＤ２Ｄ発見信号の基準信号部分および／またはデータ部分（data portion）に基づいて，Ｄ２Ｄ発見信号の信号強度を測定することによって，近接ＵＥとのＤ２Ｄリンクの品質を決定し得る。
一態様では，ＵＥは，Ｄ２Ｄ発見信号のデータ部分の通信のために使用されるリソース要素を介して基準信号受信電力（ＲＳＲＰ：reference signal received power）および／または基準信号受信品質（ＲＳＲＱ：reference signal received quality）を測定することによって，Ｄ２Ｄ発見信号のデータ部分の通信のために使用されるリソース要素上の信号強度を測定し得る。
「【００４６】
　[0054]本開示の第２の手法によれば，ＵＥは，近接ＵＥからのＤ２Ｄ通信に基づいて，近接ＵＥとのＤ２Ｄリンクの品質を測定し得る。Ｄ２Ｄ通信信号中に，Ｄ２Ｄ通信のための制御部およびトラフィック部がある。
ＵＥは，物理サイドリンク制御チャネル（ＰＳＣＣＨ：physical sidelink control channel）上で制御部を受信し得，物理サイドリンク共有チャネル（ＰＳＳＣＨ：physical sidelink shared channel）上でトラフィック部を受信し得る。
【００４７】
　[0055]
Ｄ２Ｄ通信信号のトラフィック部は，基準信号部分とデータ部分とを含む。
ＵＥは，Ｄ２Ｄリンクの品質を決定するために，基準信号部分の信号強度および／またはデータ部分の信号強度に基づいて，Ｄ２Ｄ通信信号の信号強度を決定し得る。
【００４８】
　[0056]見方を変えれば，ＵＥは，近接ＵＥの数にかかわらず，異なる近接ＵＥからのデータ部分を区別し得る。近接ＵＥから送られたデータが近接ＵＥに固有であるので，ＵＥは，近接ＵＥの数にかかわらず，ある近接ＵＥから送られたデータ部分と別の近接ＵＥから送られたデータ部分とを区別することができる。したがって，第２の手法の態様では，Ｄ２Ｄ通信信号の信号強度の測定が，データ部分の通信のために使用されるリソース要素の信号強度に少なくとも部分的に基づくことが好ましいことがある。別の態様では，Ｄ２Ｄ通信信号の信号強度の測定は，データ部分のために使用されるリソース要素の信号強度ならびに基準信号部分のために使用されるリソース要素の信号強度に基づき得る。
一態様では，ＵＥは，Ｄ２Ｄ通信信号のデータ部分の通信のために使用されるリソース要素を介してＲＳＲＰおよび／またはＲＳＲＱを測定することによって，データ部分の通信のために使用されるリソース要素の信号強度を測定し得る。
　上記【００４７】の記載から，基準信号部分とデータ部分とは明確に区別され，包含関係にないことが明らかである。上記【００４３】の記載からも，Ｄ２Ｄ発見信号中の基準信号部分とＤ２Ｄ発見信号中の基準信号部分でない部分（すなわち，Ｄ２Ｄ発見信号のデータ部分）とは明確に区別され，包含関係にないことが明らかである。そして，データ部分の通信のために使用されるリソース要素と，基準信号部分の通信のために使用されるリソース要素も明確に区別されている。そして，上述のとおり基準信号受信電力（ＲＳＲＰ）は，データ部分ではなく基準信号部分に該当するセル固有基準信号（ＣＲＳ）を受信するために使用されるリソース要素の信号強度であって，単なる受信信号強度を表すＲＳＳＩ（Received Signal Strength Indicator）とは別個のものであることが技術常識であるから，上記【００４３】，【００４８】の「データ部分の通信のために使用されるリソース要素を介してＲＳＲＰおよび／またはＲＳＲＱを測定する」との記載は，技術常識に反するものであり意味不明である。
　このため，明細書の記載を考慮して特許請求の範囲に記載された用語の意義を解釈しても，依然として請求項９に係る発明が不明確である。
　したがって，請求項９に係る発明は不明確である。請求項１８，２７に係る発明についても同様である。
（請求人の主張について）
　請求人は，審判請求書において，「なお，ＲＳＲＰおよびＲＳＲＱは，一般的な技術用語であると思料いたします。そのため，このＲＳＲＰまたはＲＳＲＱのＲＳ（基準信号）がＤ２Ｄ信号のトラフィック部の基準信号部分と対応付けられないのは明白であると思料いたします。」と主張している。
　しかしながら，ＲＳＲＰおよびＲＳＲＱが一般的な技術用語であることが，どうしてＲＳＲＰまたはＲＳＲＱのＲＳ（基準信号）がＤ２Ｄ信号のトラフィック部の基準信号部分と対応付けられないこととなるのか，その因果関係が明らかにされておらず，また，当該主張は３ＧＰＰの技術標準に基づく上記技術常識に反するものであるから，採用できない。
２　進歩性について
（１）本願発明
　上記１のとおり，請求項９に係る発明は不明確であるが，解釈上，以下の仮定が考えられる。
(i)「基準信号受信電力（ＲＳＲＰ）」は，データ部分の受信信号強度（ＲＳＳＩ）の誤記。
(ii)「データ部分」は，データ情報及び基準信号を含む部分，すなわちトラフィック部（ＰＳＳＣＨ）の誤記であり，基準信号受信電力（ＲＳＲＰ）／基準信号受信品質（ＲＳＲＱ）はトラフィック部の基準信号の受信電力／受信品質を意味する。
　このうち，(i)の仮定は，「ratio N×RSRP/(E-UTRA carrier RSSI)」と定義される「基準信号受信品質（ＲＳＲＱ）」については，RSRPをRSSIに読み替えると分子分母ともRSSIとなり定義式が意味不明なものとなる。また，発明の詳細な説明（特に，【００４３】，【００４８】。）をみてもデータ部分からどのように近隣ＵＥを識別するのか開示されておらず，どのＵＥがどのようなデータを送信するのかは予め知り得ないはずであるから，(i)の仮定は不自然である。
　このため，(ii)の仮定に基づき，請求項９に係る発明を以下のとおりのものとして，進歩性について判断する。
「　基地局のネットワークカバレージの外側にあるユーザ機器（ＵＥ）によるワイヤレス通信の方法であって，
　前記基地局のネットワークカバレージ内にある１つまたは複数の近接ＵＥからそれぞれ１つまたは複数のデバイスツーデバイス（Ｄ２Ｄ）信号を受信することと，
　前記１つまたは複数のＤ２Ｄ信号の１つまたは複数の
トラフィック部（ＰＳＳＣＨ）
　前記測定された１つまたは複数のＤ２Ｄ信号の前記信号強度に基づいて，中継ＵＥとして前記１つまたは複数の近接ＵＥのうちの１つを選択することと，
　前記選択された中継ＵＥを介して前記基地局と通信するために，Ｄ２Ｄ通信を介して，前記選択された中継ＵＥと通信することと
　を備え，
　前記１つまたは複数のＤ２Ｄ信号の前記１つまたは複数の
トラフィック部（ＰＳＳＣＨ）
トラフィック部（ＰＳＳＣＨ）
（２）引用発明
　原査定の拒絶の理由に引用されたLG Electronics，Discussion on synchronization and discovery enhancements for UE-to-network relay（［当審仮訳］：ＵＥからネットワークへのリレーのための同期及びディスカバリー強化についての議論），3GPP TSG-RAN WG1#80bis，3GPP，２０１５年４月１１日（掲載日），R1-151508，インターネット＜URL:https://www.3gpp.org/ftp/tsg_ran/WG1_RL1/TSGR1_80b/Docs/R1-151508.zip＞（以下，「引用例」という。）には，図面と共に以下の事項が記載されている。
「1. Introduction
　　One objective of Rel-13 eD2D WI is to support UE-to-Network Relays [1]:
　　Define enhancements to D2D communication to enable the following features:
　a)Support the extension of network coverage using L3-based UE-to-Network Relays, including service continuity (if needed), based on Release 12 D2D communication, considering applicability to voice, video. [RAN2, RAN1, RAN3]. (RAN3 involvement pending on progress in the other groups)
In this contribution, we discuss enhancements on synchronization and discovery to achieve the objective of UE-to-Network relay operation. 
2. Relay path establishment and maintenance 
　When a relay path is established, synchronization procedure for relay UE-to-remote UE has to be started. If a remote UE selects the SLSS having the highest S-RSRP among in-coverage SLSS as transmit timing reference according to the existing procedure, there is no way for the remote UE to transmit D2D signal to relay UE if there is no relay UE in the cell transmitting the selected SLSS. Therefore, to support UE-to-Network relay operation, it is desirable to prioritize relay UE’s synchronization signal as transmit synchronization reference. 
Observation 1: It is desirable to prioritize relay UE’s synchronization signal as transmit synchronization reference.
How to prioritize relay UE’s synchronization signal
In Rel. 12 D2D, S-RSRP is the only criterion for synchronization source selection for the same priority level. Aforementioned earlier, further specification work is needed for the prioritization of relay UE’s synchronization signal. Here we present possible alternatives which reuse the existing SLSS/PSBCH structures. 
Alt. 1) Indicate relay UE’s synchronization signal by using PSBCH reserved bit:
（中略）
　
Alt. 2) Introduce new measurement such as relay UE’s discovery signal or communication signal: In rel. 13 work scope, partial coverage discovery needs to be discussed. To prioritize relay UE’s synchronization source, discovery results and/or discovery measurement can be used to synchronization procedure. For example, if a remote UE discovers a relay UE, the remote UE can prioritize SLSS which is associated with discovery signal from the relay UE. In this method, a remote UE can select SLSS based on S-RSRP measurement firstly, but if the remote UE find that there is no relay UE in the selected SLSS or the link quality from the discovered relay UE is poor, the remote UE can de-prioritize the selected SLSS then reselect its transmit synchronization reference. If multiple relay UEs are discovered for different resource pools or in a single resource pools, UE can selects one based on received signal quality of discovery signal, for instance, a measurement for discovery DMRS of relay UE can be defined and the remote UE can select the largest DMRS measurement of relay UE among multiple discovered relay UE’s discovery signal. Similar to discovery measurement, a measurement for communication signal of relay UE can be also defined.  
Proposal 1: To prioritize relay UE’s synchronization source, the following alternatives can be further discussed,
Alt. 1) Indicate relay UE’s synchronization signal by using PSBCH reserved bit
Alt. 2) Introduce a new measurement for synchronization source selection such as DMRS of relay UE’s discovery signal or communication signal　」（１〜２ページ）
（［当審仮訳］：
１．はじめに
　Ｒｅｌ．１３のｅＤ２Ｄ　ＷＩの１つの目的はＵＥからネットワークへのリレーをサポートすることである[1] 。
　以下の特徴を可能とするＤ２Ｄ通信の拡張を定義する。
ａ）（必要であれば）音声，ビデオの適用性を考慮したリリース１２のＤ２Ｄ通信に基づくサービスの継続性を含む，Ｌ３ベースのＵＥからネットワークへのリレーを用いたネットワークカバレッジの拡張のサポート。[RAN1,RAN2,RAN3]。（RAN3を含めるかどうかは他のグループの進捗により未定。）
　本寄稿では，ＵＥからネットワークへのリレー操作の目的を達成するため同期及び発見についての拡張を検討する。
２．リレーパスの確立とメンテナンス
　リレーパスが確立されると，リレーＵＥからリモートＵＥへの同期手順を開始する必要がある。既存の手順に従ってリモートＵＥがカバレッジ内のＳＬＳＳの中で最も高いＳ−ＲＳＲＰを持つＳＬＳＳを送信タイミング基準として選択する場合，選択したＳＬＳＳを送信するリレーＵＥがセルに存在しないと，リモートＵＥがリレーＵＥにＤ２Ｄ信号を送信する方法はない。したがって，ＵＥからネットワークへのリレー操作をサポートするには，リレーＵＥの同期信号を送信同期基準として優先させることが望ましい。
所見１：リレーＵＥの同期信号を送信同期基準として優先させることが望ましい。
リレーＵＥの同期信号に優先付けする方法
　Ｒｅｌ．１２のＤ２Ｄでは，Ｓ−ＲＳＲＰが同じ優先度レベルの同期ソース選択の唯一の基準である。前述のように，リレーＵＥの同期信号の優先付けには更なる仕様作業が必要である。ここでは，既存のＳＬＳＳ／ＰＳＢＣＨ構造を再利用する可能な代替案を示す。
代替案１）ＰＳＢＣＨの予備ビットを使用してリレーＵＥの同期信号を示す：
（中略）
（図１は省略。）
代替案２）リレーＵＥの発見信号又はコミュニケーション信号のような新しい測定の導入：
　Ｒｅｌ．１３の作業範囲では，部分的カバレージ発見が議論される必要がる。リレーＵＥの同期ソースに優先付けするために，発見結果及び／又は発見測定が同期手順に使用されることができる。例えば，リモートＵＥがリレーＵＥを発見した場合，リモートＵＥは，リレーＵＥからの発見信号に関連付けられたＳＬＳＳを優先付けすることができる。この方法では，リモートＵＥはまずＳ−ＲＳＲＰ測定に基づいてＳＬＳＳを選択できるが，リモートＵＥが，選択したＳＬＳＳにリレーＵＥがないこと，又は発見されたリレーＵＥからのリンク品質が低いことを見つけた場合，リモートＵＥは選択したＳＬＳＳの優先付けを解除して送信同期基準を再選択する。複数のリレーＵＥが異なるリソースプール又は単一のリソースプールについて発見された場合，ＵＥは発見信号の受信信号品質に基づいて１つを選択できる。例えば，リレーＵＥの発見ＤＭＲＳの測定が定義され得，リモートＵＥは，発見された複数のリレーＵＥの発見信号の中でＤＭＲＳ測定が最大のリレーＵＥを選択できる。発見測定と同様に，リレーＵＥのコミュニケーション信号の測定も定義され得る。
提案１：リレーＵＥの同期ソースに優先付けするために，次の代替案をさらに検討できる。
代替案１）ＰＳＢＣＨの予備ビットを使用してリレーＵＥの同期信号を示す。
代替案２）リレーＵＥの発見信号又はコミュニケーション信号のＤＭＲＳのような同期ソース選択のための新しい測定を導入する。　）
　上記記載及び当業者が技術常識を考慮すると以下のことがいえる。
ア　「１．」の記載によれば，引用例には，Ｄ２Ｄ通信に係るＵＥからネットワークへのリレーについて記載されているといえる。そして，図１によれば，リモートＵＥはｅＮＢのカバレージの外側にあること，リレーＵＥはｅＮＢのカバレージ内にあることが見てとれる。
　そして，「２．」の「リモートＵＥがカバレージ内ＳＬＳＳの中で最も高いＳ−ＲＳＲＰを持つＳＬＳＳを送信タイミング基準として選択する」との記載，「代替案２）」の「代替案２）リレーＵＥの発見信号又はコミュニケーション信号のような新しい測定の導入」及び「リレーＵＥの同期ソースに優先付けするために，発見結果及び／又は発見測定が同期手順に使用されることができる。」との記載によれば，リモートＵＥは，複数のＵＥからのＳＬＳＳ，発見信号，コミュニケーション信号を測定しており，これらの信号がＤ２Ｄ信号に含まれることは当業者における技術常識であるから，引用例には「ｅＮＢのカバレージ内にあるＵＥからそれぞれＤ２Ｄ信号を受信する」ことが記載されていることが明らかである。
イ　「２．」の「既存の手順に従ってリモートＵＥがカバレッジ内ＳＬＳＳの中で最も高いＳ−ＲＳＲＰを持つＳＬＳＳを送信タイミング基準として選択する場合，選択したＳＬＳＳを送信するセルにリレーＵＥが存在しないと，リモートＵＥがリレーＵＥにＤ２Ｄ信号を送信する方法はない。」，「所見１」の「リレーＵＥの同期信号を送信同期基準として優先させることが望ましい。」，「代替案２）」の「この方法では，リモートＵＥはまずＳ−ＲＳＲＰ測定に基づいてＳＬＳＳを選択できるが，リモートＵＥが，選択したＳＬＳＳにリレーＵＥがないこと，又は発見されたリレーＵＥからのリンク品質が低いことを見つけた場合，リモートＵＥは選択したＳＬＳＳの優先付けを解除して送信同期基準を再選択する。（中略）例えば，リレーＵＥの発見ＤＭＲＳの測定が定義され得，リモートＵＥは，発見された複数のリレーＵＥの発見信号の中でＤＭＲＳ測定が最大のリレーＵＥを選択できる。発見測定と同様に，リレーＵＥのコミュニケーション信号の測定も定義され得る。」及び「代替案２）リレーＵＥの発見信号又はコミュニケーション信号のＤＭＲＳのような同期ソース選択のための新しい測定を導入する。」との記載によれば，引用例には，リモートＵＥが，「カバレッジ内のＳＬＳＳの中で最も高いＳ−ＲＳＲＰを持つＳＬＳＳを送信タイミング基準として選択し，選択したＳＬＳＳにリレーＵＥがないこと，又は発見されたリレーＵＥからのリンク品質が低いことを見つけた場合，選択したＳＬＳＳの優先付けを解除すること」，「複数のリレーＵＥのＤ２Ｄ信号のコミュニケーション信号のＤＭＲＳの測定をすること」，「測定されたＤＭＲＳに基づいて選択されたリレーＵＥの同期信号を送信同期基準として再選択する」ことが記載されているといえる。
ウ　「２．」に「リレーパスが確立されると，リレーＵＥからリモートＵＥへの同期手順を開始する必要がある。」との記載があり，同期はリモートＵＥがワイヤレス通信を行う上で必要なものであるから，上記の各動作は「ｅＮＢのカバレージの外側にあるリモートＵＥによるワイヤレス通信の方法」ということできる。
　上記ア〜ウを総合すると，引用例には以下の発明（以下，「引用発明」という。）が記載されていると認める。
「　ｅＮＢのカバレージの外側にあるリモートＵＥによるワイヤレス通信の方法であって，
　前記ｅＮＢのカバレージ内にあるＵＥからそれぞれＤ２Ｄ信号を受信することと，
　カバレッジ内のＳＬＳＳの中で最も高いＳ−ＲＳＲＰを持つＳＬＳＳを送信タイミング基準として選択し，選択したＳＬＳＳにリレーＵＥがないこと，又は発見されたリレーＵＥからのリンク品質が低いことを見つけた場合，選択したＳＬＳＳの優先付けを解除すること，
　前記複数のリレーＵＥのＤ２Ｄ信号のコミュニケーション信号のＤＭＲＳの測定をすることと，
　前記測定されたＤＭＲＳに基づいて選択されたリレーＵＥの同期信号を送信同期基準として再選択することと，
　を備える方法。」
（３）対比・判断
ア　引用例の「ｅＮＢのカバレージの外側にあるリモートＵＥ」は，本願発明の「基地局のネットワークカバレージの外側にあるユーザ機器（ＵＥ）」に相当するから，本願発明と引用発明は「基地局のネットワークカバレージの外側にあるユーザ機器（ＵＥ）によるワイヤレス通信の方法」といえる点で共通する。
イ　引用発明の「前記ｅＮＢのカバレージ内にあるＵＥからそれぞれＤ２Ｄ信号を受信すること」は，明らかに本願発明の「前記基地局のネットワークカバレージ内にある１つまたは複数の近接ＵＥからそれぞれ１つまたは複数のデバイスツーデバイス（Ｄ２Ｄ）信号を受信すること」に相当する。
ウ　Ｄ２Ｄ通信は，物理サイドリンクブロードキャストチャネル（ＰＳＢＣＨ），物理サイドリンク発見チャネル（ＰＳＤＣＨ），物理サイドリンク共有チャネル（ＰＳＳＣＨ），および物理サイドリンク制御チャネル（ＰＳＣＣＨ）などのサイドリンクチャネルを通して行われるものであり得ること，ＳＬＳＳのＳ−ＲＳＲＰとはＰＳＢＣＨ中の基準信号の受信電力であることが当業者の技術常識であるところ，引用例の「リレーＵＥの発見信号又はコミュニケーション信号」なる記載から明らかなように引用発明の「コミュニケーション信号」はＰＳＤＣＨで送信される発見信号とは異なるものであり，また，「コミュニケーション信号のＤＭＲＳ」はＰＳＢＣＨ中の基準信号とは異なるものといえるから，引用発明の「Ｄ２Ｄ信号のコミュニケーション信号」は，ＰＳＳＣＨで送信される本願発明の「Ｄ２Ｄ信号の前記１つまたは複数のトラフィック部（ＰＳＳＣＨ）」を含むと解される。
　そして，引用発明の「Ｄ２Ｄ信号のコミュニケーション信号のＤＭＲＳの測定」がＤ２Ｄ信号のコミュニケーション信号を受信するために使用される１つまたは複数のリソース要素の信号強度を測定することによりなされること，及び引用発明「ＤＭＲＳの測定」は１つまたは複数のリソース要素の基準信号受信電力（ＲＳＲＰ）の測定といえることは，ＬＴＥの技術常識に照らして当業者に自明である。そして，引用発明「ＤＭＲＳの測定」は，本願発明の「基準信号受信電力（ＲＳＲＰ）または基準信号受信品質（ＲＳＲＱ）のうちの少なくとも１つ」のうちの基準信号受信電力（ＲＳＲＰ）に対応するものである。
　したがって，引用発明の「前記複数のリレーＵＥのＤ２Ｄ信号のコミュニケーション信号のＤＭＲＳの測定をすること」は，本願発明の「前記１つまたは複数のＤ２Ｄ信号の１つまたは複数のトラフィック部（ＰＳＳＣＨ）を受信するために使用される１つまたは複数のリソース要素の信号強度に基づいて，前記１つまたは複数のＤ２Ｄ信号の信号強度を測定すること」，「前記１つまたは複数のＤ２Ｄ信号の前記１つまたは複数のトラフィック部（ＰＳＳＣＨ）を受信するために使用される前記１つまたは複数のリソース要素の前記信号強度は，前記１つまたは複数のＤ２Ｄ信号の前記１つまたは複数のトラフィック部（ＰＳＳＣＨ）を受信するために使用される前記１つまたは複数のリソース要素の基準信号受信電力（ＲＳＲＰ）に基づく」に相当する。
エ　引用発明は「選択したＳＬＳＳにリレーＵＥがないこと，又は発見されたリレーＵＥからのリンク品質が低いことを見つけた場合，選択したＳＬＳＳの優先付けを解除すること」，「前記測定されたＤＭＲＳに基づいて選択されたリレーＵＥの同期信号を送信同期基準として再選択すること」は，選択されたリレーＵＥの同期信号を送信同期基準とすることによりＵＥからネットワークへのリレーをサポートする際のリレーＵＥを選択しているといえるから，本願発明の「前記測定された１つまたは複数のＤ２Ｄ信号の前記信号強度に基づいて，中継ＵＥとして前記１つまたは複数の近接ＵＥのうちの１つを選択すること」に相当する。
　したがって，本願発明と引用発明とは，以下の点で一致し，又，相違する。
（一致点）
「　基地局のネットワークカバレージの外側にあるユーザ機器（ＵＥ）によるワイヤレス通信の方法であって，
　前記基地局のネットワークカバレージ内にある１つまたは複数の近接ＵＥからそれぞれ１つまたは複数のデバイスツーデバイス（Ｄ２Ｄ）信号を受信することと，
　前記１つまたは複数のＤ２Ｄ信号の１つまたは複数のトラフィック部（ＰＳＳＣＨ）を受信するために使用される１つまたは複数のリソース要素の信号強度に基づいて，前記１つまたは複数のＤ２Ｄ信号の信号強度を測定することと，
　前記測定された１つまたは複数のＤ２Ｄ信号の前記信号強度に基づいて，中継ＵＥとして前記１つまたは複数の近接ＵＥのうちの１つを選択することと，
　を備え，
　前記１つまたは複数のＤ２Ｄ信号の前記１つまたは複数のトラフィック部（ＰＳＳＣＨ）を受信するために使用される前記１つまたは複数のリソース要素の前記信号強度は，前記１つまたは複数のＤ２Ｄ信号の前記１つまたは複数のトラフィック部（ＰＳＳＣＨ）を受信するために使用される前記１つまたは複数のリソース要素の基準信号受信電力（ＲＳＲＰ）に基づく，方法。」
（相違点１）
　本願発明は「前記選択された中継ＵＥを介して前記基地局と通信するために，Ｄ２Ｄ通信を介して，前記選択された中継ＵＥと通信すること」との発明特定事項を有しているのに対して，引用発明は当該構成が明示されていない点。
（相違点２）
　本願発明は「前記１つまたは複数のＤ２Ｄ信号の前記１つまたは複数のトラフィック部を受信するために使用される前記１つまたは複数のリソース要素の基準信号受信電力（ＲＳＲＰ）または基準信号受信品質（ＲＳＲＱ）のうちの少なくとも１つに基づく」「信号強度」のみによって中継ＵＥを選択するのに対し，引用発明は「カバレッジ内のＳＬＳＳの中で最も高いＳ−ＲＳＲＰを持つＳＬＳＳを送信タイミング基準として選択し，選択したＳＬＳＳにリレーＵＥがないこと，又は発見されたリレーＵＥからのリンク品質が低いことを見つけた場合，選択したＳＬＳＳの優先付けを解除」して「前記測定されたＤＭＲＳに基づいて選択されたリレーＵＥの同期信号を送信同期基準として再選択する」点。
　以下，各相違点について検討する。
（相違点１について）
　引用発明はＵＥからネットワークへのリレーをサポートすることを目的としており，引用例の「２．」の「選択したＳＬＳＳを送信するセルにリレーＵＥが存在しないと，リモートＵＥがリレーＵＥにＤ２Ｄ信号を送信する方法はない」との記載からも明らかなように，リモートＵＥがリレーＵＥにＤ２Ｄ信号を送信することを意図しているから，リモートＵＥが，選択されたリレーＵＥを介してｅＮＢと通信するために，Ｄ２Ｄ通信を介して，前記選択されたリレーＵＥと通信すること，すなわち，相違点１は当業者が容易になし得ることに過ぎない。
（相違点２について）
　引用発明は，まず既存の方法にて選択し不都合が生じた場合に新たな測定に基づく選択方法を採用するものであるが，新たな測定に基づく選択方法のみによってもＵＥからネットワークへのリレーをサポートとの目的を達成し得ることは自明であり，無駄を省くことは常套手段であることに鑑みれば，引用発明において「カバレッジ内のＳＬＳＳの中で最も高いＳ−ＲＳＲＰを持つＳＬＳＳを送信タイミング基準として選択し，選択したＳＬＳＳにリレーＵＥがないこと，又は発見されたリレーＵＥからのリンク品質が低いことを見つけた場合，選択したＳＬＳＳの優先付けを解除すること」を省略することは，格別困難なことではなく，必要に応じて適宜なし得ることに過ぎない。
第５　むすび
　以上のとおり，本件出願は，特許請求の範囲の記載が特許法第３６条第６項第２号に規定する要件を満たしていないから，特許を受けることができない。また，本願発明は，引用発明に基づいて当業者が容易に発明をすることができたものであるから，特許法第２９条第２項の規定により，特許を受けることができない。
　よって，結論のとおり審決する。